(57)【要約】【課題】液晶表示装置を機器本体に取り付ける場合に、枠体に設けられるつば部の位置がフレキシブル基板から枝分かれした分岐基板によって制約を受けることなく、自由に設定できるようにする。【解決手段】液晶セル２２と、その下面側に配設され導光板４１及びＬＥＤ４０を有するバックライト部２３と、これら液晶セル２２及びバックライト部２３を格納する枠体２４とを備え、この枠体２４内に挿入されたフレキシブル基板２７の一端を液晶セル２２に接続すると共に、フレキシブル基板２７から枝分かれした分岐基板２９に前記ＬＥＤ４０を実装してなる液晶表示装置２１において、前記分岐基板２９が液晶セル２２に接続されるフレキシブル基板２７の一端付近から液晶セル２２又は導光板４１の下面に沿って配設されることを特徴とする。【選択図】        図１
2004258060.tif 000002
【特許請求の範囲】
【請求項１】
液晶セルと、その下面側に配設され導光板及びバックライト光源を有するバックライト部と、これら液晶セル及びバックライト部を格納する枠体とを備え、この枠体内に挿入されたフレキシブル基板の一端を液晶セルに接続すると共に、フレキシブル基板から枝分かれした分岐基板に前記バックライト光源を実装してなる液晶表示装置において、
前記分岐基板が液晶セルに接続されるフレキシブル基板の一端付近から液晶セル又は導光板の下面に沿って配設されることを特徴とする液晶表示装置。
【請求項２】
前記分岐基板が枠体の外部近傍でフレキシブル基板から枝分かれし、フレキシブル基板に接近した状態で枠体内に挿入される請求項１記載の液晶表示装置。
【請求項３】
前記分岐基板がフレキシブル基板から片側又は両側に枝分かれしてなる請求項１記載の液晶表示装置。
【請求項４】
前記分岐基板の先端部が導光板の一端部又は両端部にまで延び、該先端部にバックライト光源が実装されると共に、バックライト光源の発光面が導光板の側面と対向するように配置されてなる請求項１記載の液晶表示装置。
【請求項５】
前記分岐基板がねじれ部を有してなる請求項１記載の液晶表示装置。
【発明の詳細な説明】
【０００１】
【発明の属する技術分野】
本発明は、バックライトを備えた液晶表示装置に関するものである。
【０００２】
【従来の技術】
近年、液晶セルを用いた表示装置は、時計、電話機、パソコン等のあらゆる電子機器に搭載されている。このような電子機器にあって、特に時計や携帯電話等は夜間や暗所においても使用されるため、液晶セルを照明するバックライトを備えたものが多い。
【０００３】
従来、この種の液晶表示装置として、例えば特許文献１に記載のものが知られている。この液晶表示装置１は、図７及び図８に示したように、液晶セル２と、その下面側に備えられたバックライト部３と、液晶セル２及びバックライト部３を保持する枠体４等で構成される。前記液晶セル２は、透明電極膜が形成された２枚の上下ガラス基板５ａ，５ｂの間に液晶物質を封入し、上下ガラス基板５ａ，５ｂの外側にそれぞれ偏光板６ａ，６ｂを貼り付けた構成である。また、図７に示したように、液晶セル２の上部ガラス基板５ａには枠体４の外部から延びるフレキシブル基板７の一端が熱圧着されると共に、このフレキシブル基板７の導体面には液晶セル２を駆動制御するＩＣ、抵抗器、コンデンサ等の電子部品８が実装されている。また、このフレキシブル基板７には枠体４の外部で枝分かれしたフレキシブルの分岐基板９が形成されており、この分岐基板９の先端側も枠体４の内部に組み込まれている。
【０００４】
【特許文献１】
特開平４−３５５４２８号公報
【０００５】
一方、バックライト部３は、光源であるＬＥＤ１０と、このＬＥＤ１０の発光した光を液晶セル２の下面側に導く導光板１１と、導光板１１の下面側に配置される反射板１２と、導光板１１の上面と前記液晶セル２との間に配置される光拡散板１３などから構成されていて、いずれも枠体４の内部に格納されている。前記導光板１１は、透明なアクリル材によって形成され、その一側面（受光壁面）１４からＬＥＤ１０の光を取り入れて内部に導くと共に、反射板１２および光拡散板１３の作用によって液晶セル２を均一に照明する。
【０００６】
前記フレキシブル基板７から枝分かれした分岐基板９は、枠体４の外側面に沿って横方に延びてから枠体４内に組み込まれ、その先端部が導光板１１の一端部の近傍にまで真っ直ぐに延びる。そして、該先端部にＬＥＤ１０が実装される。この実装は導光板１１の一側面１４にＬＥＤ１０の発光面が対向するような形で配置される。
【０００７】
このようにして、前記液晶セル２やバックライト部３が枠体４内に組み込まれた液晶表示装置１には、フレキシブル基板７及び分岐基板９を避けた形で枠体４の２箇所につば部１５が設けられ、このつば部１５によって機器本体（図示せず）などに取り付けられる。
【０００８】
【発明が解決しようとする課題】
しかしながら、上記従来の液晶表示装置１にあっては、フレキシブル基板７から枝分かれした分岐基板９が枠体４の外側に大きく張り出した構造となっていたので、分岐基板９の近傍にはつば部１５を設けることができず、結果的につば部１５を設ける場所が制約を受けることになり、機器本体の取付け位置との関係で不都合を生ずることがあった。
【０００９】
そこで、本発明の液晶表示装置は、枠体に設けられるつば部の位置がフレキシブル基板から枝分かれした分岐基板によって制約を受けることなく、機器本体などの取付け位置に応じてつば部の設定を自由に選択できるようにすることを目的とする。
【００１０】
【課題を解決するための手段】
上記課題を解決するために、本発明の請求項１に係る液晶表示装置は、液晶セルと、その下面側に配設され導光板及びバックライト光源を有するバックライト部と、これら液晶セル及びバックライト部を格納する枠体とを備え、この枠体内に挿入されたフレキシブル基板の一端を液晶セルに接続すると共に、フレキシブル基板から枝分かれした分岐基板に前記バックライト光源を実装してなる液晶表示装置において、前記分岐基板が液晶セルに接続されるフレキシブル基板の一端付近から液晶セル又は導光板の下面に沿って配設されることを特徴とする。
【００１１】
この発明によれば、液晶セルに接続されるフレキシブル基板の一端付近から液晶セル又は導光板の下面に沿って分岐基板が配設されているので、従来のように分岐基板が枠体の外部に大きく張り出して制約を受けるといったことがなく、つば部を所望の位置に設けることができる。
【００１２】
前記枠体の外部近傍でフレキシブル基板から枝分かれした分岐基板は、フレキシブル基板に接近した状態で枠体内に挿入されることが望ましい。
【００１３】
本発明の分岐基板は、フレキシブル基板の片側又は両側に枝分かれし、その先端部が導光板の一端部又は両端部にまで延び、該先端部にバックライト光源が実装される。そして、実装に際してはバックライト光源の発光面が導光板の側面と対向するように配置される。なお、分岐基板にねじれ部を設けることで、フレキシブル基板の導体面に対して分岐基板の導体面を上下逆にして配設することが可能となる。
【００１４】
【発明の実施の形態】
以下、添付図面に基づいて本発明に係る液晶表示装置の実施形態を詳細に説明する。図１乃至図３は本発明に係る液晶表示装置の第１実施形態を示したものであり、図１は液晶表示装置の分解斜視図、図２は液晶表示装置の正面図、図３は図２のＡ−Ａ線に沿って切断したときの断面図である。
【００１５】
図１乃至図３に示されるように、この実施形態に係る液晶表示装置２１は、液晶セル２２と、その下面側に備えられたバックライト部２３と、液晶セル２２及びバックライト部２３を保持する枠体２４等で構成される。前記液晶セル２２は、従来例で述べた液晶セルと同じ構成からなり、透明電極膜が形成された２枚の上下ガラス基板２５ａ，２５ｂの間に液晶物質を封入し、上下ガラス基板２５ａ，２５ｂの外側にそれぞれ偏光板２６ａ，２６ｂを貼り付けたものである。また、液晶セル２２の下部ガラス基板２５ｂに枠体２４の外部から延びるフレキシブル基板２７の先端部が熱圧着されると共に、このフレキシブル基板２７の下面側に形成された導体面には液晶セル２２を駆動制御するＩＣ、抵抗器、コンデンサ等の電子部品２８が実装されている。また、このフレキシブル基板２７には枠体２４の外部近傍で枝分かれしたのち、細く延びるフレキシブルの分岐基板２９が形成されている。
【００１６】
本発明の注目すべき点は、前記分岐基板２９の枝分かれ位置が枠体４の外部近傍であること、及び分岐基板２９がフレキシブル基板２７に接近した状態で平行に延びて枠体２４内に挿入されることである。そして、枠体２４内に挿入された分岐基板２９は、フレキシブル基板２７の先端部近傍で液晶セル２２の下部ガラス基板２５ｂの下面側に潜り込むと同時にほぼ直角に折れ曲がり、下部ガラス基板２５ｂの長辺側の側縁に沿ってその下面側を角部３０まで延びたのち、再び直角に折れ曲がって下部ガラス基板２５ｂの短辺側の側縁に沿ってその外側に回り込むようにして延びている。分岐基板２９には前記フレキシブル基板２７の導体面と同じ下面側に導体面が形成され、その先端部にはバックライト部２３のＬＥＤ４０が下向きに実装されている。
【００１７】
一方、バックライト部２３は、前記枝分かれした分岐基板２９の先端部下面に実装されたＬＥＤ４０と、このＬＥＤ４０から発光した光を液晶セル２２の下面側に導く導光板４１と、導光板４１の下面側に配置される反射板４２と、導光板４１の上面と前記液晶セル２２との間に配置される光拡散板４３などから構成されていて、いずれも枠体２４の内部に格納される。前記導光板４１は、透明なアクリル材によって形成され、前記ＬＥＤ４０と対向する一側面４４のほぼ中央部にＬＥＤ４０が配設される半円状の凹部４５が形成されている。前記ＬＥＤ４０は、前記分岐基板２９が枠体２４内に組み込まれた時に前記導光板４１の凹部４５内に格納され、ＬＥＤ４０の発光面が凹部４５の内周面に対向した状態で配設される。
【００１８】
上記の液晶セル２２、バックライト部２３及び分岐基板２９等が組み込まれる枠体２４は、周囲が四辺の側壁５０で囲まれた矩形状のもので、底面４９および側壁５０の内周面に前記の反射板４１が一体に組み込まれる。また、側壁５０の一辺には前記フレキシブル基板２７の先端部及び分岐基板２９を挿入するために切欠き部５１が形成されている。さらに、側壁５０の外周面の３箇所には、液晶表示装置２１を機器本体（図示せず）などに取り付けるためのつば部５２ａ，５２ｂ，５２ｃが一体形成されている。特に、この実施形態では分岐基板２９に邪魔されることなく、切欠き部５１の近傍につば部５２ａを設けることができる。
【００１９】
図４は本発明に係る液晶表示装置の第２実施形態を示したものである。この実施形態に係る液晶表示装置では、フレキシブル基板２７の先端近傍において、フレキシブル基板２７が両側に枝分かれし、左右一対の分岐基板２９ａ，２９ｂが形成されている。そして、前記一対の分岐基板２９ａ，２９ｂは、枠体２４内に中央部付近でほぼ平行に挿入したのち左右に分かれ、液晶セル２２の下部ガラス基板２５ｂの下面に沿って配設され、さらに下部ガラス基板２５ｂの両側に回り込んだ先端部にはＬＥＤ４０ａ，４０ｂがそれぞれ下向きに実装される。一方、この実施形態ではバックライト部２３の導光板４１には、その両端に凹部４５ａ，４５ｂがそれぞれ形成され、各凹部４５ａ，４５ｂ内に前記ＬＥＤ４０ａ，４０ｂが格納されるようになっている。また、枠体２４の側壁５０の外周面には前記実施形態と同様のつば部５２ａ，５２ｂ，５２ｃが設けられている。このように、分岐基板２９ａ，２９ｂが両側に延びていても、つば部５２ａ，５２ｂが邪魔になることはない。
【００２０】
なお、前記の第２実施形態では、フレキシブル基板２７の両側に枝分かれした一対の分岐基板２９ａ，２９ｂの先端にＬＥＤ４０ａ，４０ｂを実装した場合について説明したが、前述の第１実施形態のように、分岐基板２９をフレキシブル基板２７の片側のみに設け、この分岐基板２９を下部ガラス基板２５ｂの下面で左右に分岐させたのち下部ガラス基板２５ｂの両側に回り込ませ、それぞれの先端部にＬＥＤ４０ａ，４０ｂを実装した場合にも同様の効果が得られる。
【００２１】
図５は本発明に係る液晶表示装置の第３実施形態を示したものである。この実施形態ではフレキシブル基板２７の上面側に導体面が形成されており、フレキシブル基板２７の先端部が液晶セルの上部ガラス基板の下面に熱圧着されることで導体面が上向きに配置される。また、フレキシブル基板２７の先端近傍で片側に枝分かれしている分岐基板２９は、枠体２４の底面４９とほぼ同一形状のシート部６０を有し、このシート部６０が導光板４１の下面に沿って配設される。また、シート部６０はその長辺側のほぼ中央部とフレキシブル基板２７との間が細長い首部６１によって連結されており、フレキシブル基板２７の上面に形成されている導体が首部６１を介してシート部６０の上面側に延びている。さらに、シート部６０の左右両側には一対のＬＥＤ４０ａ，４０ｂが上向きに実装され、前記シート部６０の外周に沿って配線された導体が各ＬＥＤ４０ａ，４０ｂの取付け位置まで延びている。なお、前記シート部６０の上面に白色塗膜を形成することで前記反射板４２の代わりをさせることができる。また、導光板４１の両端に形成されるＬＥＤ格納用の凹部４５ａ，４５ｂ及び枠体２４の側壁５０の外周面に設けられるつば部５２ａ，５２ｂ，５２ｃは、前記実施形態と同様の構成なので詳細な説明は省略する。
【００２２】
図６は本発明に係る液晶表示装置の第４実施形態を示したものである。この実施形態に係る液晶表示装置は、フレキシブル基板２７の下面側に導体面を形成した点及び分岐基板２９の首部６１に１回捻ったねじれ部６２を設けた点が前記第３実施形態と異なるだけである。そのために、フレキシブル基板２７の先端部を液晶セル２２の下部ガラス基板２５ｂに熱圧着するにもかかわらず、ＬＥＤ４０ａ，４０ｂの上向き実装が可能となる。
【００２３】
【発明の効果】
以上説明したように、本発明に係る液晶表示装置によれば、液晶セルに固定されるフレキシブル基板の一端付近で分岐基板が枝分かれし、この分岐基板が液晶セル又は導光板の下面に沿って配設されているので、フレキシブル基板の配線がすっきりしたものとなる。また、フレキシブル基板の配線をすっきりさせることによって、液晶表示装置を取り付けるためのつば部の設定位置の制約がなくなり、所望の位置に設けることができる、といった効果がある。
【図面の簡単な説明】
【図１】本発明に係る液晶表示装置の第１実施形態を示す分解斜視図である。
【図２】上記液晶表示装置を一体に組み込んだ時の正面図である。
【図３】上記図２の液晶表示装置をＡ−Ａ線に沿って切断した断面図である。
【図４】本発明に係る液晶表示装置の第２実施形態を示す分解斜視図である。
【図５】本発明に係る液晶表示装置の第３実施形態を示す分解斜視図である。
【図６】本発明に係る液晶表示装置の第４実施形態を示す分解斜視図である。
【図７】従来の液晶表示装置を示す正面図である。
【図８】上記図７の液晶表示装置をＢ−Ｂ線に沿って切断した断面図である。
【符号の説明】
２１  液晶表示装置
２２  液晶セル
２３  バックライト部
２４  枠体
２７  フレキシブル基板
２９  分岐基板
４０  ＬＥＤ（バックライト光源）
４１  導光板
６２  ねじれ部
【図１】
2004258060.tif 000003
【図２】
2004258060.tif 000004
【図３】
2004258060.tif 000005
【図４】
2004258060.tif 000006
【図５】
2004258060.tif 000007
【図６】
2004258060.tif 000008
【図７】
2004258060.tif 000009
【図８】
2004258060.tif 000010